【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
パワーセーブモードでの無線通信が可能な通信装置であって、
第１の無線パラメータを用い、第１のネットワークに接続する接続手段と、
前記第１のネットワークに含まれる所定の外部装置が、前記パワーセーブモードでの無線通信に対応しているか否かを検出する検出手段と、
前記検出手段により、前記外部装置が、前記パワーセーブモードでの無線通信に対応していることが検出された場合、前記外部装置に、前記外部装置及び前記通信装置から構成される、前記第１のネットワークと異なる第２のネットワークに接続するための第２の無線パラメータと、当該第２の無線パラメータを用いて前記第２のネットワークに接続するように要求するネットワーク切り替え要求とを送信する送信手段と、
を備え、
前記接続手段は、前記送信手段による前記送信の後、前記第２の無線パラメータを用い、前記第１のネットワークに代えて前記第２のネットワークに接続し、前記第２のネットワークにおいて、前記外部装置と前記パワーセーブモードで無線通信を行うことを特徴とする通信装置。
【請求項２】
前記第１の無線パラメータ及び前記第２の無線パラメータは、ＥＳＳ−ＩＤ及び暗号鍵を含むことを特徴とする請求項１に記載の通信装置。
【請求項３】
前記接続手段は、前記第２のネットワークにおいて、前記外部装置及び前記通信装置の間で所定のサイズよりも大きなデータを送受信する間は、前記パワーセーブモードを使用しないことを特徴とする請求項１又は２に記載の通信装置。
【請求項４】
前記接続手段は、前記第１のネットワークに接続する際はＡＴＩＭ Ｗｉｎｄｏｗのサイズを０とし、前記第２のネットワークに接続する際はＡＴＩＭ Ｗｉｎｄｏｗのサイズを１以上とすることを特徴とする請求項１乃至３のいずれか１項に記載の通信装置。
【請求項５】
さらに、前記第２の無線パラメータを生成する生成手段を備えることを特徴とする請求項１乃至４のいずれか１項に記載の通信装置。
【請求項６】
さらに、使用する暗号鍵を前記第１のネットワークで使用されている暗号鍵と異なる第２の暗号鍵に変更する暗号鍵変更手段を備え、
前記送信手段は、前記外部装置に、前記第２の無線パラメータ及び前記ネットワーク切り替え要求に代えて、前記第２の暗号鍵と、使用する暗号鍵を前記第２の暗号鍵に変更するように要求する暗号鍵変更要求とを送信し、
前記接続手段は、前記送信手段による前記送信の後、前記第２の暗号鍵を使用して、前記外部装置と前記パワーセーブモードで無線通信を行うことを特徴とする請求項２に記載の通信装置。
【請求項７】
前記接続手段は、前記第２の暗号鍵を使用して、前記外部装置及び前記通信装置の間で所定のサイズよりも大きなデータを送受信する間は、前記パワーセーブモードを使用しないことを特徴とする請求項６に記載の通信装置。
【請求項８】
前記第１のネットワークに接続する際にＡＴＩＭ Ｗｉｎｄｏｗのサイズを１以上とすることを特徴とする請求項６又は７に記載の通信装置。
【請求項９】
さらに、前記第２の暗号鍵を生成する生成手段を備えることを特徴とする請求項６乃至８のいずれか１項に記載の通信装置。
【請求項１０】
さらに、前記第１の無線パラメータと、前記外部装置が前記パワーセーブモードでの無線通信に対応しているか否かを示す情報とを記憶する記憶手段を備え、
前記接続手段は、前記記憶手段から前記第１の無線パラメータを取得して前記第１のネットワークに接続し、
前記検出手段は、前記記憶手段から前記外部装置が前記パワーセーブモードでの無線通信に対応しているか否かを示す情報を取得して前記検出を行う
ことを特徴とする請求項１乃至９のいずれか１項に記載の通信装置。
【請求項１１】
パワーセーブモードでの無線通信が可能な通信装置の制御方法であって、
第１の無線パラメータを用い、第１のネットワークに接続する第１の接続工程と、
前記第１のネットワークに含まれる所定の外部装置が、前記パワーセーブモードでの無線通信に対応しているか否かを検出する検出工程と、
前記検出工程により、前記外部装置が、前記パワーセーブモードでの無線通信に対応していることが検出された場合、前記外部装置に、前記外部装置及び前記通信装置から構成される、前記第１のネットワークと異なる第２のネットワークに接続するための第２の無線パラメータと、当該第２の無線パラメータを用いて前記第２のネットワークに接続するように要求するネットワーク切り替え要求とを送信する送信工程と、
前記送信工程における前記送信の後、前記第２の無線パラメータを用い、前記第１のネットワークに代えて前記第２のネットワークに接続し、前記第２のネットワークにおいて、前記外部装置と前記パワーセーブモードで無線通信を行う第２の接続工程と、
を備えることを特徴とする通信装置の制御方法。
【請求項１２】
パワーセーブモードでの無線通信が可能な通信装置の制御方法をコンピュータに実行させるためのプログラムであって、前記制御方法は、
第１の無線パラメータを用い、第１のネットワークに接続する第１の接続工程と、
前記第１のネットワークに含まれる所定の外部装置が、前記パワーセーブモードでの無線通信に対応しているか否かを検出する検出工程と、
前記検出工程により、前記外部装置が、前記パワーセーブモードでの無線通信に対応していることが検出された場合、前記外部装置に、前記外部装置及び前記通信装置から構成される、前記第１のネットワークと異なる第２のネットワークに接続するための第２の無線パラメータと、当該第２の無線パラメータを用いて前記第２のネットワークに接続するように要求するネットワーク切り替え要求とを送信する送信工程と、
前記送信工程における前記送信の後、前記第２の無線パラメータを用い、前記第１のネットワークに代えて前記第２のネットワークに接続し、前記第２のネットワークにおいて、前記外部装置と前記パワーセーブモードで無線通信を行う第２の接続工程と、
を備えることを特徴とするプログラム。
【請求項１３】
請求項１２に記載のプログラムを記録したコンピュータ読み取り可能な記録媒体。
【手続補正２】
【補正対象書類名】明細書
【補正対象項目名】００１４
【補正方法】変更
【補正の内容】
【００１４】
上記課題を解決するために、本発明の通信装置は、パワーセーブモードでの無線通信が可能な通信装置であって、第１の無線パラメータを用い、第１のネットワークに接続する接続手段と、前記第１のネットワークに含まれる所定の外部装置が、前記パワーセーブモードでの無線通信に対応しているか否かを検出する検出手段と、前記検出手段により、前記外部装置が、前記パワーセーブモードでの無線通信に対応していることが検出された場合、前記外部装置に、前記外部装置及び前記通信装置から構成される、前記第１のネットワークと異なる第２のネットワークに接続するための第２の無線パラメータと、当該第２の無線パラメータを用いて前記第２のネットワークに接続するように要求するネットワーク切り替え要求とを送信する送信手段と、を備え、前記接続手段は、前記送信手段による前記送信の後、前記第２の無線パラメータを用い、前記第１のネットワークに代えて前記第２のネットワークに接続し、前記第２のネットワークにおいて、前記外部装置と前記パワーセーブモードで無線通信を行うことを特徴とする。
【手続補正３】
【補正対象書類名】明細書
【補正対象項目名】００１５
【補正方法】変更
【補正の内容】
【００１５】
また、本発明の通信装置の制御方法は、パワーセーブモードでの無線通信が可能な通信装置の制御方法であって、前記制御方法は、第１の無線パラメータを用い、第１のネットワークに接続する第１の接続工程と、前記第１のネットワークに含まれる所定の外部装置が、前記パワーセーブモードでの無線通信に対応しているか否かを検出する検出工程と、前記検出工程により、前記外部装置が、前記パワーセーブモードでの無線通信に対応していることが検出された場合、前記外部装置に、前記外部装置及び前記通信装置から構成される、前記第１のネットワークと異なる第２のネットワークに接続するための第２の無線パラメータと、当該第２の無線パラメータを用いて前記第２のネットワークに接続するように要求するネットワーク切り替え要求とを送信する送信工程と、前記送信工程における前記送信の後、前記第２の無線パラメータを用い、前記第１のネットワークに代えて前記第２のネットワークに接続し、前記第２のネットワークにおいて、前記外部装置と前記パワーセーブモードで無線通信を行う第２の接続工程と、を備えることを特徴とする。